(57)【特許請求の範囲】
【請求項１】
貯湯タンク内の水を加熱する加熱手段と、前記貯湯タンクの上部にある出湯口から出湯される湯を熱源に浴槽内の湯水を加熱する熱交換器とが設けられ、該熱交換器は、該浴槽内の残り湯の熱を回収して前記貯湯タンクの下部にある出水口から送り出された水を加熱する貯湯式給湯装置であって、
前記出湯口及び前記出水口には、前記熱交換器を経由して前記貯湯タンクの下部に設けられた戻り口に対して該出湯口からの湯が送られるようにするか該出水口からの水が送られるようにするかを切り換える三方弁が配管接続され、該三方弁と該戻り口を連結する配管には、前記貯湯タンク内の圧力が予め設定された値以上になったときに該貯湯タンクから空気又は湯水を排出する過圧逃し弁が配置され、
前記加熱手段が前記貯湯タンクの水を加熱している際、前記三方弁は、前記出水口と前記戻り口を連結して前記過圧逃し弁が該貯湯タンク内の下部にある水を排出できる状態にすると共に、間欠的に前記出湯口と前記戻り口を連結して前記過圧逃し弁が前記貯湯タンクの上部に貯まる空気を排出できるようにすることを特徴とする貯湯式給湯装置。
【請求項２】
請求項１記載の貯湯式給湯装置において、前記過圧逃し弁は、３０〜１８０ｃｍの高さで前記出湯口より低い位置に配置され、前記三方弁と前記戻り口を連結する前記配管には、前記過圧逃し弁と該戻り口の間に該戻り口から該過圧逃し弁へ水が流れるのを防止する逆止弁が設けられ、
空状態の前記貯湯タンクを満水にする際、前記過圧逃し弁は該貯湯タンク内の圧力に関係なく該貯湯タンク内から流体物を排出する開放状態にされ、前記三方弁は前記出湯口と前記戻り口を連結した状態になることを特徴とする貯湯式給湯装置。
【請求項３】
請求項１又は２記載の貯湯式給湯装置において、前記貯湯タンクは並列配置された第１、第２のタンクからなり、該第１のタンクの下部が該第２のタンクの上部に連結管を介して連結され、前記第１のタンクの上部が前記貯湯タンクの上部として、前記第２のタンクの下部が前記貯湯タンクの下部としてそれぞれ機能することを特徴とする貯湯式給湯装置。
【発明の詳細な説明】
【技術分野】
【０００１】
本発明は、貯湯タンクに貯留された湯を浴槽等に供給する貯湯式給湯装置に関する。
【背景技術】
【０００２】
ヒートポンプ等の加熱手段によって貯湯タンク内の水を加熱する場合、水の温度上昇と共に水の体積が増し、貯湯タンク内の圧力が上がるため、貯湯タンクの水を排出することによって貯湯タンクの圧力調整がなされる。
その圧力調整の具体例として、特許文献１には、貯湯タンクに接続された入水管に過圧逃し弁を設け、貯湯タンクの圧力が一定以上になると過圧逃し弁を介して貯湯タンクの水を排出する方法が記載されている。この過圧逃し弁は入水管側（即ち貯湯タンクの下部）にあるため、貯湯タンクからは加熱されていない水が排出されることになり熱の損失を抑制することができる。これは、貯湯タンクには一般的に上部に湯が貯留され下部には水が貯えられるためである。
また、貯湯タンクの水を加熱する際、水中に溶解していた空気が加熱により分離し、貯湯タンクの上部には空気が貯まり、この空気は入水管側にある過圧逃し弁から排出できないため、貯湯タンクの上部に接続された出湯管に空気を排出するための過圧逃し弁が設けてられている。
【先行技術文献】
【特許文献】
【０００３】
【特許文献１】特開２００４−８５０６０号公報
【発明の概要】
【発明が解決しようとする課題】
【０００４】
しかしながら、特許文献１では、出湯管側の過圧逃し弁の作動圧が入水管側の過圧逃し弁より高い値になっているので、貯湯タンク内の圧力が入水管側の過圧逃し弁の作動圧に達した時点で貯湯タンクから水が排出されて貯湯タンク内の圧力が下がることになり、出湯管側の過圧逃し弁からの空気の排出が機能しない状態になる。
この結果、貯湯タンクの上部には空気が貯まり、蛇口をひねった後しばらくは、蛇口から湯と共に空気が出るという問題があった。
本発明は、かかる事情に鑑みてなされるもので、貯湯タンク内の圧力調整と共に貯湯タンクに貯まる空気の排出を行うことが可能な貯湯式給湯装置を提供することを目的とする。
【課題を解決するための手段】
【０００５】
前記目的に沿う本発明に係る貯湯式給湯装置は、貯湯タンク内の水を加熱する加熱手段と、前記貯湯タンクの上部にある出湯口から出湯される湯を熱源に浴槽内の湯水を加熱する熱交換器とが設けられ、該熱交換器は、該浴槽内の残り湯の熱を回収して前記貯湯タンクの下部にある出水口から送り出された水を加熱する貯湯式給湯装置であって、前記出湯口及び前記出水口には、前記熱交換器を経由して前記貯湯タンクの下部に設けられた戻り口に対して該出湯口からの湯が送られるようにするか該出水口からの水が送られるようにするかを切り換える三方弁が配管接続され、該三方弁と該戻り口を連結する配管には、前記貯湯タンク内の圧力が予め設定された値以上になったときに該貯湯タンクから空気又は湯水を排出する過圧逃し弁が配置され、前記加熱手段が前記貯湯タンクの水を加熱している際、前記三方弁は、前記出水口と前記戻り口を連結して前記過圧逃し弁が該貯湯タンク内の下部にある水を排出できる状態にすると共に、間欠的に前記出湯口と前記戻り口を連結して前記過圧逃し弁が前記貯湯タンクの上部に貯まる空気を排出できるようにする。
【０００６】
本発明に係る貯湯式給湯装置において、前記過圧逃し弁は、３０〜１８０ｃｍの高さで前記出湯口より低い位置に配置され、前記三方弁と前記戻り口を連結する前記配管には、前記過圧逃し弁と該戻り口の間に該戻り口から該過圧逃し弁へ水が流れるのを防止する逆止弁が設けられ、空状態の前記貯湯タンクを満水にする際、前記過圧逃し弁は該貯湯タンク内の圧力に関係なく該貯湯タンク内から流体物を排出する開放状態にされ、前記三方弁は前記出湯口と前記戻り口を連結した状態になるのが好ましい。
【０００７】
本発明に係る貯湯式給湯装置において、前記貯湯タンクは並列配置された第１、第２のタンクからなり、該第１のタンクの下部が該第２のタンクの上部に連結管を介して連結され、前記第１のタンクの上部が前記貯湯タンクの上部として、前記第２のタンクの下部が前記貯湯タンクの下部としてそれぞれ機能するのが好ましい。
【発明の効果】
【０００８】
請求項１〜３記載の貯湯式給湯装置は、出湯口及び出水口には、熱交換器を経由して貯湯タンクの下部に設けられた戻り口に対して出湯口からの湯が送られるようにするか出水口からの水が送られるようにするかを切り換える三方弁が配管接続され、三方弁と戻り口を連結する配管には、貯湯タンク内の圧力が予め設定された値以上になったときに貯湯タンクから空気又は湯水を排出する過圧逃し弁が配置され、加熱手段が貯湯タンクの水を加熱している際、三方弁は、出水口と戻り口を連結して過圧逃し弁が貯湯タンク内の下部にある水を排出できる状態にすると共に、間欠的に出湯口と戻り口を連結して過圧逃し弁が貯湯タンクの上部に貯まる空気を排出できるようにするので、貯湯タンクに貯まる空気の量を抑制しつつ、貯湯タンク内の圧力調整を行うことができる。
【０００９】
特に、請求項２記載の貯湯式給湯装置は、過圧逃し弁が３０〜１８０ｃｍの高さに配置されているので、過圧逃し弁の点検や交換等の際、作業者は、踏み台等を用いることなく過圧逃し弁に直接手を触れて作業を行うことができる。
また、過圧逃し弁は、出湯口より低い位置に配置され、三方弁と戻り口を連結する配管には、戻り口から過圧逃し弁へ水が流れるのを防止する逆止弁が設けられ、空状態の貯湯タンクを満水にする際、過圧逃し弁は開放状態にされ、三方弁は出湯口と戻り口を連結した状態になるので、空状態の貯湯タンクへ流入し戻り口から出た水は、逆止弁で止められ過圧逃し弁には達せず過圧逃し弁からは排出されない。従って、貯湯タンクを満水にする際に貯湯タンクから過圧逃し弁を介して排出されるのは、出湯口及び三方弁を通過して過圧逃し弁に送られる空気のみであり、貯湯タンクが満水になるまで貯湯タンク内の水が過圧逃し弁から排出されるのを回避することができる。
【００１０】
請求項３記載の貯湯式給湯装置は、貯湯タンクが並列配置された第１、第２のタンクからなるので、貯湯タンクの設置について省スペース化が可能である。
【図面の簡単な説明】
【００１１】
【図１】本発明の一実施の形態に係る貯湯式給湯装置の概略説明図である。
【図２】同貯湯式給湯装置の制御手段の信号接続を示すブロック図である。
【発明を実施するための形態】
【００１２】
続いて、添付した図面を参照しつつ、本発明を具体化した実施の形態につき説明し、本発明の理解に供する。
図１、図２に示すように、本発明の一実施の形態に係る貯湯式給湯装置１０は、貯湯タンク１１に貯留した湯を台所の蛇口（図示せず）や浴槽１３等に供給する装置である。そして、貯湯式給湯装置１０は、貯湯タンク１１内の水を加熱する加熱手段６０と、貯湯タンク１１の上部にある出湯口１２から出湯される湯を熱源に、浴槽１３内の湯水を加熱する熱交換器１４とが設けられ、浴槽１３内の湯水を追焚きすることができる。また、熱交換器１４は、浴槽１３内の残り湯の熱を回収して貯湯タンク１１の下部にある出水口１５から送り出された水を加熱することができ、貯湯タンク１１内の湯水の熱を確保するにあたっての省エネ化が図られている。以下、詳細に説明する。
【００１３】
図１に示すように、貯湯タンク１１は、並列配置され湯水を貯留する第１、第２のタンク１６、１７からなり、第１のタンク１６の下部は、連結管１８を介して第２のタンク１７の上部に連結されており、第１のタンク１６内の湯水と第２のタンク１７内の湯水は連結管１８を経由して行き来可能になっている。第１、第２のタンク１６、１７の高さはそれぞれ１８０〜２００ｃｍ程度である。
第１のタンク１６には水温を計測する温度センサの一例であるサーミスタ１９、２０、２１が、第１のタンク１６の上部から下部に向かって順に異なる高さ位置に取り付けられている。また、第２のタンク１７にも上部から下部に向かって順に異なる高さ位置にサーミスタ２２、２３、２４、２５が取り付けられている。サーミスタ１９〜２５は、それぞれの取り付け位置にある貯湯タンク１１内の湯水の温度を計測する。
【００１４】
第２のタンク１７の下部には水道管２６が連結され、水道管２６には、水道水の給水圧を１７０ｋＰａに減圧する減圧弁２７が取り付けられている。第１、第２のタンク１６、１７は、内在している湯が出湯されると水道管２６から水道水が給水され、満水状態が保たれている。
第２のタンク１７の下部は、循環ポンプ２８と熱交換器２９を介して第１のタンク１６の上部に配管接続されている。
【００１５】
循環ポンプ２８は、図２に示すように、例えばマイクロコンピュータ等からなる制御手段３０に信号接続されており、制御手段３０からの信号によって作動して、第２のタンク１７の下部から水を取り出し、熱交換器２９にその水を送る。
熱交換器２９は、図１に示すように、熱媒が循環する熱媒循環回路３１を介して熱源器の一例であるヒートポンプ式熱源器３２に接続されており、ヒートポンプ式熱源器３２で加熱された熱媒を熱源に熱交換して第２のタンク１７からの水を加熱する。本実施の形態において、加熱手段６０は、熱交換器２９、熱媒循環回路３１及びヒートポンプ式熱源器３２から構成されている。なお、ヒートポンプ式熱源器３２は、制御手段３０から送られる信号に従って作動する。また、制御手段３０は、サーミスタ１９〜２５が計測した第１、第２のタンク１６、１７内の湯水の温度を検知することができる。
【００１６】
熱交換器２９で加熱された湯は、第１のタンク１６の上部に給湯され、第１のタンク１６には、上部に最も高温の湯水が内在され上部から下部に向けて湯水の温度が低くなっている。また、第２のタンク１７には、下部から水が取り出されるのに伴って、第１のタンク１６から連結管１８を介して湯水が流入し、第２のタンク１７も第１のタンク１６と同様に上部から下部に向けて湯水の温度が低くなっている。
【００１７】
熱交換器２９と第１のタンク１６の上部を接続する配管には、三方弁３３が設けられ、三方弁３３はバイパス管３４を介して第２のタンク１７の下部に配管接続されている。三方弁３３は熱交換器２９からの湯水を、第１のタンク１６の上部に送るか、あるいは、バイパス管３４を介して第２のタンク１７の下部に送るかを切り換え可能である。
制御手段３０は、熱媒循環回路３１を循環する熱媒の温度を周期的に検知しており、熱媒が第２のタンク１７の下部から取り出した水を所定温度以上に加熱できる温度に達するまで、三方弁３３を第２のタンク１７の下部に湯水を送る状態にする。これによって、第２のタンク１７の下部から取り出した水が、熱交換器２９で十分に加熱されず低温のまま第１のタンク１６の上部に供給されるのを防止する。そして、制御手段３０は、熱媒循環回路３１を循環している熱媒が十分な温度になったとき、三方弁３３を切り換えて第１のタンク１６の上部に湯が供給されるようにする。
【００１８】
第１、第２のタンク１６、１７に貯留されている湯は、混合弁３５、３６を介して台所にある蛇口等に供給される。混合弁３５は、第１のタンク１６の上部から出湯される湯と第２のタンク１７の上部から出湯される湯を混合し、その混合した湯を混合弁３６に送る。なお、混合弁３５と第１のタンク１６の間には、混合弁３５の方向にのみ湯が流れるようにする逆止弁３６ａが設けられ、混合弁３５と第２のタンク１７の間には、混合弁３５の方向にのみ湯が流れるようにする逆止弁３６ｂが設けられている。混合弁３５を介して第１のタンク１６と第２のタンク１７の熱対流を防止するためである。
また、混合弁３５と混合弁３６を連結する配管には、混合弁３５から混合弁３６に送られる湯の温度を計測するサーミスタ３７と、混合弁３６から混合弁３５に湯が逆流するのを防止する逆止弁３８が設けられている。制御手段３０はサーミスタ３７を介して、混合弁３５で混合された湯の温度を計測する。
混合弁３６は、混合弁３５で混合された湯に水道管２６を介して給水される水道水を加えて、混合弁３５から送られた湯を所定温度にする。そして、混合弁３６で所定温度となった湯は、台所にある蛇口等へ供給される。
なお、水道管２６には、混合弁３６から水道管２６に向かって湯が流れないようにする逆止弁３９が取り付けられている。また、混合弁３５、３６は、制御手段３０からの信号によって混合比の調整を行う。
【００１９】
混合弁３５の湯の出側には、混合弁３５、３６を接続する配管と分岐し、混合弁３５で混合された湯を浴槽１３に導くための配管が設置されている。この混合弁３５からの湯を浴槽１３に導く配管には、混合弁３５で混合された湯に水道管２６からの水道水を加える混合弁４０が設けられ、混合弁４０で温度調整された湯は、開閉弁４１及び逆止弁４２を経由して浴槽１３に供給される。なお、混合弁４０は、制御手段３０からの信号出力によって湯に対する水道水の混合量の調整を行う。
開閉弁４１は、制御手段３０からの信号によって、開いた状態、即ち混合弁４０で温度調整された湯が浴槽１３に供給可能な状態となる。逆止弁４２は、浴槽１３内の湯が混合弁４０に流れるのを防ぐために設けられている。
また、混合弁３５、４０の間には、混合弁４０から混合弁３５に湯が逆流するのを防止する逆止弁４３が配置されている。
【００２０】
浴槽１３は、熱交換器１４及び循環ポンプ４４等が設けられた浴槽循環回路４５に接続されている。制御手段３０は、循環ポンプ４４に信号を送って循環ポンプ４４を作動し、浴槽循環回路４５に浴槽１３内の湯水を循環させる。また、制御手段３０は、浴槽循環回路４５に設けられたサーミスタ４６を介して浴槽循環回路４５を循環している湯の温度を検知することができる。
なお、浴槽循環回路４５には、浴槽１３の湯量を計測する水位センサ４７が取り付けられており、制御手段３０は水位センサ４７を介して浴槽１３の湯量を検知可能である。
【００２１】
熱交換器１４は、循環ポンプ４４の作動で浴槽循環回路４５を循環する浴槽１３の湯水を、第１のタンク１６から出湯された湯の熱を利用して加熱し、浴槽１３内の湯水を追焚きすることができる。
浴槽１３内の湯水を追焚きするために利用される湯は、第１のタンク１６の上部にある出湯口１２から熱交換器１４に送られ、熱交換器１４での熱交換で熱を奪われた後に第２のタンク１７の下部に設けられた戻り口４８を介して第２のタンク１７に流入する。
【００２２】
第１のタンク１６の出湯口１２と第２のタンク１７の戻り口４８を接続する配管には、熱交換器１４に供給する湯を出湯口１２から取り出す循環ポンプ４９と、三方弁５０が設けられている。循環ポンプ４９及び三方弁５０は、制御手段３０から送られる信号によって作動する。
三方弁５０には、第１のタンク１６の出湯口１２及び第２のタンク１７の下部にある出水口１５が配管接続されている。三方弁５０は、制御手段３０から送信される信号に従って、熱交換器１４を経由して第２のタンク１７の戻り口４８に対して、第１のタンク１６の出湯口１２からの湯が送られるにようにするか、第２のタンク１７の出水口１５からの水が送られるようにするかを切り換えることができる。
【００２３】
制御手段３０には、図２に示すように、使用者が貯湯式給湯装置１０の各種機能を実行するための操作を行う操作盤５２が信号接続されている。操作盤５２で浴槽１３内の湯水を追焚きするための操作がなされると、制御手段３０は、循環ポンプ４４を起動し、サーミスタ１９、４６を介して第１のタンク１６の上部にある湯の温度Ｔ１及び浴槽１３内の湯水の温度Ｔ２をそれぞれ検知する。そして、制御手段３０は、Ｔ１がＴ２より所定温度（例えば５℃）以上高いことを検知した場合、三方弁５０を第１のタンク１６の出湯口１２からの湯が第２のタンク１７の戻り口４８に送られる状態にし、開閉弁４１を閉じた上で循環ポンプ４９を作動して、浴槽１３内の湯水の追焚きを行う。
一方、制御手段３０は、Ｔ１がＴ２より所定温度以上高い状態にないことを検知した場合、浴槽１３内の湯水の追焚きを行わない。
【００２４】
また、熱交換器１４は、浴槽１３の残り湯の熱を回収して、第２のタンク１７の出水口１５から送られる水を加熱することができる。
操作盤５２で浴槽１３の残り湯の熱を回収するための操作がなされると、制御手段３０は、循環ポンプ４４を起動し、サーミスタ２５、４６を介して第２のタンク１７の出水口１５近くの水（又は湯）の温度Ｔ３及び浴槽１３の残り湯の温度Ｔ４をそれぞれ検知する。そして、制御手段３０は、Ｔ４がＴ３に対して所定温度（例えば５℃）以上高いことを検知した場合、三方弁５０を第２のタンク１７の出水口１５からの水が第２のタンク１７の戻り口４８に送られる状態にし、開閉弁４１を閉じ循環ポンプ４９を作動して、浴槽１３の残り湯の熱の回収を開始する。
一方、制御手段３０は、Ｔ４がＴ３より所定温度以上高い状態にないことを検知した場合、浴槽１３の残り湯の熱の回収を行わない。
なお、サーミスタ２５は、第２のタンク１７の下部で出水口１５の近くに配置されている。
【００２５】
次に、第１、第２のタンク１６、１７内の圧力調整について説明する。
三方弁５０と第２のタンク１７の戻り口４８を連結する配管５４には、配管５４内の圧力が予め設定された値（本実施の形態では１９０ｋＰａ）以上になったとき配管５４内の空気、湯水（即ち流体物）を排出し、配管５４内の圧力を調整する過圧逃し弁５５が設けられている。
ここで、第１、第２のタンク１６、１７は連結管１８を介して接続され、空間的な連続性を有している。そして、第２のタンク１７と配管５４は、三方弁５０の状態に関係なく少なくとも戻り口４８を介して接続された状態、即ち空間的な連続性を有しているので、第１、第２のタンク１６、１７と配管５４は実質的に圧力が等しい状態を確保されている。従って、第１、第２のタンク１６、１７内の圧力は、過圧逃し弁５５からの空気、湯水の排出によって、１９０ｋＰａ未満に保たれる。
【００２６】
第１、第２のタンク１６、１７内の圧力が１９０ｋＰａ以上になるのは、第１、第２のタンク１６、１７内の湯水がヒートポンプ式熱源器３２によって加熱されているとき、あるいは、浴槽１３内の残り湯の熱の回収によって、第１、第２のタンク１６、１７内の湯水が加熱されるときである。
第１、第２のタンク１６、１７内の湯水がヒートポンプ式熱源器３２によって加熱されているとき、三方弁５０は、制御手段３０によって第２のタンク１７の出水口１５からの水が第２のタンク１７の戻り口４８に送られる状態にされる。これによって、第１、第２のタンク１６、１７内の湯水が加熱されて膨張し、第１、第２のタンク１６、１７内の圧力が１９０ｋＰａ以上になったときには、第２のタンク１７の下部にある低温の水が、出水口１５、三方弁５０を介して過圧逃し弁５５から排出されることになる。従って、圧力調整のための第１、第２のタンク１６、１７の熱損失は抑制することができる。
【００２７】
また、第１、第２のタンク１６、１７内の湯水が加熱されている際、制御手段３０は、三方弁５０の一次的な切り換えをして、間欠的に第１のタンク１６の出湯口１２と第２のタンク１７の戻り口４８を連結した状態にする。本実施の形態では、予め設定された時間間隔（例えば１時間ごと）で、三方弁５０の切り換えが行われ、第１のタンク１６の出湯口１２から第２のタンク１７の戻り口４８に向かって湯が流れる状態が所定時間（例えば５秒間）確保される。この三方弁５０の切り換え動作により、湯水を加熱する際に発生し、第１のタンク１６の上部に貯まる空気は定期的に過圧逃し弁５５から排出されることになる。
このように、三方弁５０は、１）浴槽１３内の湯水の追焚きをするために第１のタンク１６の上部から湯を取り出す場合と浴槽１３内の残り湯の熱を回収するために第２のタンク１７の下部から水を取り出す場合の流路の切り換えに加え、２）第１、第２のタンク１６、１７内の圧力調整のために、第１のタンク１６の上部から空気を排出する場合と第２のタンク１７の下部から水を排出する場合の切り換えも担っている。
【００２８】
また、浴槽１３内の残り湯の熱が回収されて、第１、第２のタンク１６、１７内の湯水が加熱されているときには、前述したように三方弁５０が出水口１５と戻り口４８を連結した状態になっているので、第１、第２のタンク１６、１７内の圧力が１９０ｋＰａ以上になった際には、出水口１５から送られる第２のタンク１７の下部にある水が過圧逃し弁５５から排出される。
浴槽１３内の残り湯の熱の回収により第１、第２のタンク１６、１７内の湯水を加熱している際には、三方弁５０の切り換えをせず、第１のタンク１６の出湯口１２と第２のタンク１７の戻り口４８を連結することはしない。これは、浴槽１３内の残り湯の熱の回収では、第１のタンク１６の上部に空気が貯まるまで第１、第２のタンク１６、１７内の湯水が加熱されないからである。
【００２９】
また、第２のタンク内の湯水は、例えば太陽光の集熱を利用したソーラーパネルシステムにより加熱できるようにすることもできる。この場合、太陽光の集熱によって、第２のタンク内の湯水が加熱されているとき、三方弁は、第２のタンクの出水口と第２のタンクの戻り口を連結する状態にされ、第１、第２のタンク内の圧力が予め設定された値以上になった際には、第２のタンクの下部にある水が出水口を介して出水され、過圧逃し弁から排水されるようにする。そして、太陽光による集熱で第２のタンク内の湯水を加熱した際には、第２のタンク内に空気が分離発生することもあり得るが、その量は微量であり、実質的に問題となる量ではない。従って、太陽光の集熱によって第２のタンク内の湯水が加熱されているときには、第１、第２のタンク内の圧力調整のために、三方弁が第１のタンクの出湯口と第２のタンクの戻り口を連結した状態にはならない。
従って、三方弁が第１のタンクの出湯口と第２のタンクの戻り口を連結した状態になるのは、原則的には浴槽内の湯水を追焚きするときと、ヒートポンプ式熱源器を備える加熱手段によって第１、第２のタンク内の湯水が加熱されているときになる。
【００３０】
また、過圧逃し弁５５は、第１、第２のタンク１６、１７内の圧力に関係なく第１、第２のタンク１６、１７内から流体物（湯水、空気）を排出できる開放状態になることができる。
そして、空状態の第１、第２のタンク１６、１７を満水にする際、過圧逃し弁５５は開放状態にされる。
通常、貯湯式給湯装置１０を設置する際、作業者は第１、第２のタンク１６、１７を満水にした後に、貯湯式給湯装置１０を使用者に引き渡す。この場合、第１、第２のタンク１６、１７に内在されている空気を外に排出しながら、第１、第２のタンク１６、１７への給水が行われる。
【００３１】
作業者は、過圧逃し弁５５を開放状態にし、更に三方弁５０を、第１のタンク１６の出湯口１２と第２のタンク１７の戻り口４８を連結した状態にした後に、水道管２６を介して第２のタンク１７への給水を開始する。第２のタンク１７へ水道水が流入するのに伴い、第１のタンク１６に内在されている空気は、出湯口１２を介して第１のタンク１６の外に押し出され、開放状態となった過圧逃し弁５５から排出される。
第１、第２のタンク１６、１７が満水になったとき、過圧逃し弁５５からは空気でなく水が排出されるようになるので、設置作業者は、過圧逃し弁５５から水が排出されたのを視認して、第１、第２のタンク１６、１７が満水になったのを知ることができる。
【００３２】
ここで、過圧逃し弁５５は、一般的な過圧逃し弁と同様に過圧逃し弁５５に設けられたレバーを手動で回動することにより開放状態にされる。そして、過圧逃し弁５５は、第１、第２のタンク１６、１７を満水にするときの他、定期点検（過圧逃し弁５５の弁が固着していないかの確認）の際にも開放状態にされるため、人の手に届く位置、即ち３０〜１８０ｃｍの高さで、第１、第２のタンク１６、１７の上部よりも低い位置（本実施の形態では８０〜１２０ｃｍの位置）に配置されている。
従って、仮に第２のタンク１７の戻り口４８からの水が過圧逃し弁５５から排出されるようになっている場合、過圧逃し弁５５が開放状態のとき、第２のタンク１７内の水は戻り口４８から出水され過圧逃し弁５５から排出されることになるので、第２のタンク１７内には、過圧逃し弁５５より高い位置に水が貯まらない、あるいは貯まり難くなる。
そこで、三方弁５０と第２のタンク１７の戻り口４８を連結する配管５４には、過圧逃し弁５５と戻り口４８の間（本実施の形態では、過圧逃し弁５５と熱交換器１４の間）に戻り口４８から過圧逃し弁５５に水が流れるのを防止する逆止弁５６が設けられている。
【００３３】
以上、本発明の実施の形態を説明したが、本発明は、上記した形態に限定されるものでなく、要旨を逸脱しない条件の変更等は全て本発明の適用範囲である。
例えば、貯湯タンクは２体のタンクを有することなく１体のタンクとすることができる。
また、過圧逃し弁が水等を排出するための配管内の圧力Ｐ１と、水道水減圧後の給水圧Ｐ２は、それぞれ１９０ｋＰａ及び１７０ｋＰａに限られず、Ｐ１＞Ｐ２でその差異が一定値（例えば１０ｋＰａ）以上の条件を満たせば、他の圧力値でもよい。
【符号の説明】
【００３４】
１０：貯湯式給湯装置、１１：貯湯タンク、１２：出湯口、１３：浴槽、１４：熱交換器、１５：出水口、１６：第１のタンク、１７：第２のタンク、１８：連結管、１９〜２５：サーミスタ、２６：水道管、２７：減圧弁、２８：循環ポンプ、２９：熱交換器、３０：制御手段、３１：熱媒循環回路、３２：ヒートポンプ式熱源器、３３：三方弁、３４：バイパス管、３５、３６：混合弁、３６ａ、３６ｂ：逆止弁、３７：サーミスタ、３８、３９：逆止弁、４０：混合弁、４１：開閉弁、４２、４３：逆止弁、４４：循環ポンプ、４５：浴槽循環回路、４６：サーミスタ、４７：水位センサ、４８：戻り口、４９：循環ポンプ、５０：三方弁、５２：操作盤、５４：配管、５５：過圧逃し弁、５６：逆止弁、６０：加熱手段
【図１】
0005498895.tif 000002
【図２】
0005498895.tif 000003